(57)【要約】【課題】ハンドル自体にロック機構を組み込んで、鍵がなくても、あるいはハンドルの取り外し作業を行わなくても盗水防止が行えるＢを、簡単な構造によって提供すること。【解決手段】ハンドル２０を、筒部１３の端部を覆うハンドル本体２１と、このハンドル本体２１内に組み付けたロック機構２２と、数字や絵文字を含む記号が付されて、ハンドル本体２１の外側から回動操作できる複数のダイヤル２２ａと、ハンドル本体２１に取り付けられて、弁軸１２の端部に連結される連結部材２３ａを備えたハンドルカバー２３と、このハンドルカバー２３の外面に対してロック機構２２によって出入されて、水栓本体１０の係止溝１４に係合したとき、当該ハンドル２０の回動を阻止するロック爪２４と、を備えたものとしたこと。【選択図】図１
2015203221.tif 000002
【特許請求の範囲】
【請求項１】
通水路中の弁座に対して螺進螺退可能に組み付けた弁軸、及びこの弁軸の端部を囲み、止溝を有した筒部を有する水栓本体と、前記弁軸に対して取り付けられて、この弁軸の回動操作を行うハンドルとを備えた盗水防止水栓であって、
前記ハンドルを、前記筒部の端部を覆うハンドル本体と、このハンドル本体内に組み付けたロック機構と、数字や絵文字を含む記号が付されて、前記ハンドル本体の外側から回動操作できる複数のダイヤルと、前記ハンドル本体に取り付けられて、前記弁軸の端部に連結される連結部材を備えたハンドルカバーと、このハンドルカバーの外面に対して前記ロック機構によって出入されて、前記水栓本体の係止溝に係合したとき、当該ハンドルの回動を阻止するロック爪と、を備えたものとしたことを特徴とする盗水防止水栓。
【請求項２】
前記ロック爪の出入方向を、前記ハンドルの回動方向に対して直交させたことを特徴とする請求項１に記載の盗水防止水栓。
【請求項３】
前記筒部の側面に、底面方向が前記弁軸の方向と同一となる工具挿入溝を形成するとともに、この工具挿入溝の端部が前記筒部の端面にて開口するようにしたことを特徴とする請求項１〜請求項２のいずれかに記載の盗水防止水栓。
【請求項４】
前記筒部の係止溝を、前記筒部の端面にて円弧状に並ぶように複数形成したことを特徴とする請求項１〜請求項３のいずれかに記載の盗水防止水栓。
【発明の詳細な説明】
【技術分野】
【０００１】
本発明は、例えば庭先の水栓柱等、家屋の外に設置した場合であっても、第三者による開閉操作が簡単に行えないようにした盗水防止水栓に関するものである。
【背景技術】
【０００２】
庭先の水栓柱等、家屋の外に設置した水栓は、当該庭がオープンである場合、その住人の許可が得られなくても第三者によって簡単に操作できて、水道水をタダで使用するという、所謂「盗水」行為が行い易いものとなっている。
【０００３】
この「盗水」を防止するために、従来では例えばハンドルと水道管との間を鎖で結び、この鎖に鍵を掛けるようにしたり、あるいは、特別な工具を採用しなければ、ハンドル操作が行えないようにする等（特許文献１）、種々な対策が講じられてきている。しかしながら、合鍵や特殊工具の置き場所を忘れてしまった場合には、簡単には開けられなくなってしまう。
【０００４】
そこで、特許文献２にて提案されているようなシリンダー錠を使用して、盗水を防止しようとする試みがなされている。
【先行技術文献】
【特許文献】
【０００５】
【特許文献１】特開２０１１−２１４５４号公報、要約
【特許文献２】特開２００１−６５２１３号公報、要約
【発明の概要】
【発明が解決しようとする課題】
【０００６】
特許文献２にて提案されている「盗水防止用止水栓錠」は、「従来の一般的な止水栓では、水道水供給元との使用契約を結ばないでも、ハンドルを捻ればその止水栓を開栓操作することができるので、盗水しようと思えば簡単にできる。また、このような止水栓では、盗水を防止するために、ハンドルを止水栓の弁軸から外しておいても、このハンドルは市販されているため、それを購入すればその止水栓の弁軸に簡単に取り付けることができ、盗水の防止には全く役立たない」ことを解決することを目的としてなされたもので、図７に示すように、「止水栓の弁軸１にダイヤル式錠２のシリンダ部３を挿入し、このシリンダ部の上端を前記弁軸の上端にネジ止めし、このねじ止め部をダイヤル式錠のダイヤル付きキャップ４で覆うと共にこのダイヤル付きキャップを前記シリンダ部に装着したものとし、前記ダイヤル付きキャップに遊嵌した複数のダイヤルリング４ａ、４ａ…のダイヤル合わせにより、このダイヤル付きキャップを前記シリンダ部に着脱自在とした」という構成を有したものである。
【０００７】
この特許文献２にて提案されている「盗水防止用止水栓錠」は、止水栓の弁軸１に挿入してあったダイヤル式錠２のシリンダ部３を外してからハンドルを取り付けて、このハンドルによって開閉操作を行うものであるため、ハンドルの取り付け作業や取り外し作業を伴うものであって、使用勝手が悪いと考えられる。
【０００８】
そこで、本発明者等は、この種の盗水防止水栓について、鍵がなくても、あるいはハンドルの取り外し作業を行わなくても盗水防止が行えるようにするにはどうしたらよいか、について種々検討を重ねてきた結果、本発明を完成したのである。
【０００９】
すなわち、本発明の目的とするところは、ハンドル自体にロック機構を組み込んで、鍵がなくても、あるいはハンドルの取り外し作業を行わなくても盗水防止が行える盗水防止水栓１００を、簡単な構造によって提供することにある。
【課題を解決するための手段】
【００１０】
以上の課題を解決するために、まず、請求項１に係る発明の採った手段は、後述する最良形態の説明中で使用する符号を付して説明すると、
「通水路１１中の弁座１１ａに対して螺進螺退可能に組み付けた弁軸１２、及びこの弁軸１２の端部を囲み、止溝１４を有した筒部１３を有する水栓本体１０と、弁軸１２に対して取り付けられて、この弁軸１２の回動操作を行うハンドル２０とを備えた盗水防止水栓１００であって、
ハンドル２０を、筒部１３の端部を覆うハンドル本体２１と、このハンドル本体２１内に組み付けたロック機構２２と、数字や絵文字を含む記号が付されて、ハンドル本体２１の外側から回動操作できる複数のダイヤル２２ａと、ハンドル本体２１に取り付けられて、弁軸１２の端部に連結される連結部材２３ａを備えたハンドルカバー２３と、このハンドルカバー２３の外面に対してロック機構２２によって出入されて、水栓本体１０の係止溝１４に係合したとき、当該ハンドル２０の回動を阻止するロック爪２４と、を備えたものとしたことを特徴とする盗水防止水栓１００」
である。
【００１１】
この請求項１に係る盗水防止水栓１００は、図１及び図３に示すように、接続部１６によって水道管のような水供給管に接続されて、吐出口１７から必要な水を吐出するようにした水栓本体１０と、この水栓本体１０の上側に連結されるハンドル２０とを有するものであり、このハンドル２０内に内蔵したロック機構２２によって、ハンドル２０の回動可能状態と回動不可状態とを現出させるようにしたものである。そして、このロック機構２２の操作はハンドル２０の外側から簡単に行えるようにしたものである。
【００１２】
そのために、この盗水防止水栓１００を構成しているハンドル２０は、ハンドル本体２１と、このハンドル本体２１内に組み付けたロック機構２２と、数字や絵文字を含む記号が付されて、ハンドル本体２１の外側から回動操作できる複数のダイヤル２２ａと、ハンドル本体２１に取り付けられて、弁軸１２の端部に連結される連結部材２３ａを備えたハンドルカバー２３と、このハンドルカバー２３の外面に対してロック機構２２によって出入されて、水栓本体１０の係止溝１４に係合したとき、当該ハンドル２０の回動を阻止するロック爪２４と、を備えたものである。
【００１３】
勿論、水栓本体１０については、通水路１１中の弁座１１ａに対して螺進螺退可能に組み付けた弁軸１２と、この弁軸１２の端部を囲む筒部１３と、この筒部１３に係止溝１４を形成したものであり、当該ハンドル２０の回動操作を行えなくするには、ロック機構２２によって出入されるロック爪２４を、水栓本体１０の係止溝１４に係合させるようにするのである。なお、図１の（ｂ）には、ロック爪２４がハンドル２０内に入り込んで、水栓本体１０側の係止溝１４から外された状態が示してあり、この状態ではハンドル２０の回動操作は行える状態にある。
【００１４】
ところで、ロック機構２２については種々な態様のものが適用できるが、この請求項１に係る盗水防止水栓１００では、このロック機構２２は、数字や絵文字を含む記号が付されて、ハンドル本体２１の外側から回動操作できる複数のダイヤル２２ａを備えたものである。これらのダイヤル２２ａは、図３の（ａ）及び（ｂ）に示すように、その一部分がハンドル本体２１から外方に突出したものであり、この突出した部分を指で回動操作することにより、当該ダイヤル２２ａに示してある数字や図柄の選択を自在に行えるようにしたものである。
【００１５】
そして、これらのダイヤル２２ａの回動操作を行って、各ダイヤル２２ａが示す数字等を設定しておいたものに揃えることにより、ロック爪２４をそれまで係合していた係止溝１４から退避させたとき、当該ハンドル２０の水栓本体１０に対する係合が解かれるものである。このようなロック爪２４の動きを制御するロック機構２２は種々な形態のものとして市販されている。
【００１６】
さて、以上のような盗水防止水栓１００によって庭に散水したい場合には、上記したように、ハンドル２０の外側から各ダイヤル２２ａの回動を行って、開錠状態となるように予め設定されている数字や図柄の配列を選択する。これにより、ロック爪２４がそれまで係合していた係止溝１４から退避され（図１の（ｂ）に示す状態）、ハンドル２０の水栓本体１０に対する係合が解かれる。ここで、当該ハンドル２０を回動させれば、これに連結してある弁軸１２が水栓本体１０内にて回動され、この弁軸１２の図示下端に設けてあった弁体１２ａが通水路１１の弁座１１ａから離れる。そうすると、水栓本体１０内の通水路１１が接続部１６と吐出口１７とで連通することになるから、接続部１６内に供給されている水道水は吐出口１７から吐出することになって、散水が行えることになる。
【００１７】
散水が完了すれば、ハンドル２０を元の位置に戻して（ハンドル２０を閉めて）、このハンドル２０のハンドル本体２１にて露出している各ダイヤル２２ａをバラバラにすると、ハンドル２０内のロック爪２４の先端が、例えばロック機構２２自体に内蔵されているスプリングの作用によって押し下げられて、水栓本体１０側の係止溝１４に係合してロックが掛かるのである。このロック爪２４の、水栓本体１０側の係止溝１４に対する係合状態は、当該係止溝１４が筒部１３の内側に形成してあることから、外からは見えない。このため、開錠のための各ダイヤル２２ａの並びが分からない第三者にとって、当該盗水防止水栓１００の開放を行うことはできない。
【００１８】
そして、この請求項１に係る盗水防止水栓１００では、水栓としての基本的機能を発揮させる部材、通水路１１、弁座１１ａ、弁軸１２、及び弁体１２ａを、一つの筒部１３内に纏めるとともに、弁軸１２の回動を行うハンドル２０に、ロック機構２２、ダイヤル２２ａ、及びロック爪２４を纏めたため、水栓本体１０とハンドル２０とを別物とし得るのである。
【００１９】
これによって、水栓本体１０またはハンドル２０のどちらかに不具合が生じた場合、不具合が生じた方を交換するのみで、他方を使用し続けることができるものとなっているのである。また、ハンドル２０内のロック機構２２について、別種類のものに変更したい場合も、ハンドル２０全体の交換を行うことによって、容易にロック機構２２の交換が行えるものとなっているのである。
【００２０】
従って、この請求項１に係る盗水防止水栓１００は、ハンドル２０自体にロック機構２２を組み込んだので、鍵がなくても、あるいはハンドルの取り外し作業を行わなくても盗水防止が行えるものとなっているのである。
【００２１】
以上の課題を解決するために、請求項２に係る発明の採った手段は、上記請求項１に記載の盗水防止水栓１００について、
「ロック爪２４の出入方向を、ハンドル２０の回動方向に対して直交させたこと」
である。
【００２２】
本発明に係る盗水防止水栓１００は、水栓本体１０とハンドル２０との間がロック状態になっていると、ハンドル２０側のロック爪２４が水栓本体１０側の係止溝１４に係合しているということになるが、この状態でハンドル２０を回したとすると、ロック爪２４と係止溝１４との間に力が加わる。ここで、もし、ハンドル２０の回動方向とロック爪２４の係止溝１４に対する係合方向とが同じであったとすると、ハンドル２０を無理に回せば、係合状態が簡単に外れたり、係合し合っていた部分が破損してしまうことになる。
【００２３】
そこで、この請求項２に係る盗水防止水栓１００では、ロック爪２４の出入方向を、ハンドル２０の回動方向に対して直交させることによって、ハンドル２０を無理に回したとしても、ロック爪２４と係止溝１４との係合状態が簡単に外れないようにするとともに、係合し合っていたロック爪２４または係止溝１４が破損してしまわないようにしたのである。換言すれば、ロック爪２４の出入方向が、ハンドル２０の回動方向に対して直交していることによって、ロック状態にあるハンドル２０を回動させたとすると、ロック爪２４の先端は係止溝１４の内面に直角に押し付けられることになるのであるから、ハンドル２０の回動力がロック爪２４の出入力、特にロック爪２４を外してしまう力に変換されることは全くない。
【００２４】
逆に、ロック状態を解除するために各ダイヤル２２ａを所定の位置に回動させたとき、ロック爪２４の出入方向がハンドル２０の回動方向に対して直交していたことによって、ロック爪２４は容易に係止溝１４から出ることになって、ロック状態が無理なく解除される。仮に、ロック爪２４の先端が係止溝１４内に接触していて摩擦力が働いていたとしても、ハンドル２０を左右に少し回して摩擦力がない状態にしてやれば、ロック状態は容易に解除される。
【００２５】
従って、この請求項２に係る盗水防止水栓１００は、上記請求項１のそれと同様な機能を発揮する他、ロック爪２４の作動が確実なものとなっているのである。
【００２６】
さらに、上記課題を解決するために、請求項３に係る発明の採った手段は、上記請求項１〜請求項２のいずれかに記載の盗水防止水栓１００について、
「筒部１３の側面に、底面方向が弁軸１２の方向と同一となる工具挿入溝１５を形成するとともに、この工具挿入溝１５の端部が筒部１３の端面１３ａにて開口するようにしたこと」
である。
【００２７】
工具挿入溝１５は、例えば図１の（ａ）に示すように、水栓本体１０を構成している筒部１３の側面に形成したものであり、図３の（ｂ）に示すように、その底面方向が弁軸１２の方向と同一となるようにしたものである。また、この工具挿入溝１５の端部は、図４にも示すように、筒部１３の端面１３ａにて開口させたものである。
【００２８】
工具挿入溝１５を以上のように形成することによって、弁軸１２の端部に連結されるハンドルカバー２３をハンドル本体２１に固定するための固定ネジ２５が、図２の（ｂ）に示すような「見えない状態」と、図２の（ｃ）に示すような「見える状態」と、になる場合分けが行えるのである。勿論、図２の（ｂ）状態から（ｃ）状態に変更するには、当該盗水防止水栓１００のハンドル２０を、各ダイヤル２２ａの回動操作によってロック状態を解除してから行う。
【００２９】
固定ネジ２５が、図２の（ｂ）に示すような「見えない状態」となっていると、当然のことながら、当該固定ネジ２５を外してハンドル２０を外すことはできない。この固定ネジ２５は、水栓本体１０側の弁軸１２先端に取り付けられるハンドルカバー２３を、ハンドル本体２１に取り付けたりこのハンドルカバー２３をハンドル本体２１から外すものだから、固定ネジ２５が「見えない状態」となっていれば、結果的に、ハンドル２０を外すことはできない。
【００３０】
逆に、固定ネジ２５が図２の（ｃ）に示すような「見える状態」になっていれば、ドライバーをこの工具挿入溝１５内に挿通して固定ネジ２５の取り外しを行えば、ハンドル２０を外すことができる。なお、ハンドル２０を外して所定のメンテナンス等が完了すれば、再び固定ネジ２５の固定を行い、図２の（ｂ）に示す状態に戻しておけば、第三者によって当該ハンドル２０が外されることはない。
【００３１】
従って、この請求項３に係る盗水防止水栓１００は、上記請求項１または２のそれと同様な機能を発揮する他、固定ネジ２５を工具挿入溝１５から露出させるか否かの選択が行えて、盗水防止がより一層確実に行えるようになっている。
【００３２】
そして、上記課題を解決するために、請求項４に係る発明の採った手段は、上記請求項１〜請求項３のいずれかに記載の盗水防止水栓１００について、
「筒部１３の係止溝１４を、筒部１３の端面１３ａにて円弧状に並ぶように複数形成したこと」
である。
【００３３】
この請求項４に係る盗水防止水栓１００では、図４及び図５に示すように、ロック爪２４の先端が係合されるべき係止溝１４を、筒部１３の端面１３ａにて円弧状に並ぶように複数形成したものである。なお、ロック爪２４の先端は、例えば図５に示すように、各係止溝１４のうちの一つにしか係合できないものである。
【００３４】
当該盗水防止水栓１００の閉止時におけるハンドル２０の回転停止位置は、水栓本体１０内の弁座１１ａに対する弁体１２ａの位置によって決定され、一方、この弁体１２ａは、一般的には合成ゴムによって形成されているから、経年変化若しくは変形するものである。従って、工場出荷時において、ロック爪２４の係合位置を、例えば図４に示した一番上の係止溝１４にしておいても、長期間使用することによって弁体１２ａが経年変化した結果、この一番上の係止溝１４では完全止水することができなくなる。
【００３５】
このように、当該盗水防止水栓１００を長期間使用することによって弁体１２ａが変形してきた場合、盗水防止水栓１００の完全止水位置でハンドル２０を回動停止できるようにするには、ハンドル２０をもう少しきつく閉めたところで停止させ、その位置でロック状態が確保できるようにしなければならない。そこで、筒部１３の係止溝１４を、筒部１３の端面１３ａにて円弧状に並ぶように複数形成しておくことによって、弁体１２ａが経年変化したとき、例えば図４に示した上から２番目の係止溝１４の位置をロック位置にして、これにロック爪２４の先端を係合させるのである。これにより、弁体１２ａの経年変化に応じてハンドル２０の回転停止位置を変えることができ、当該盗水防止水栓１００の耐久性が向上することになるのである。
【００３６】
従って、この請求項４に係る盗水防止水栓１００は、上記請求項１〜３のそれと同様な機能を発揮する他、耐久性が向上したものとなっているのである。
【発明の効果】
【００３７】
以上説明した通り、本発明においては、
「通水路１１中の弁座１１ａに対して螺進螺退可能に組み付けた弁軸１２、及びこの弁軸１２の端部を囲み、止溝１４を有した筒部１３を有する水栓本体１０と、弁軸１２に対して取り付けられて、この弁軸１２の回動操作を行うハンドル２０とを備えた盗水防止水栓１００であって、
ハンドル２０を、筒部１３の端部を覆うハンドル本体２１と、このハンドル本体２１内に組み付けたロック機構２２と、数字や絵文字を含む記号が付されて、ハンドル本体２１の外側から回動操作できる複数のダイヤル２２ａと、ハンドル本体２１に取り付けられて、弁軸１２の端部に連結される連結部材２３ａを備えたハンドルカバー２３と、このハンドルカバー２３の外面に対してロック機構２２によって出入されて、水栓本体１０の係止溝１４に係合したとき、当該ハンドル２０の回動を阻止するロック爪２４と、を備えたものとしたこと」
に構成上の主たる特徴があり、これにより、ハンドル２０自体にロック機構２２を組み込んで、鍵がなくても、あるいはハンドル２０の取り外し作業を行わなくても盗水防止が行える盗水防止水栓１００を、簡単な構造によって提供することができるのである。
【図面の簡単な説明】
【００３８】
【図１】本発明に係る盗水防止水栓１００を示すもので、（ａ）は側面図、（ｂ）は図３中の３ー３線で切って見た立断面図である。
【図２】同盗水防止水栓１００を示すもので、（ａ）は側面図、（ｂ）は（ａ）中の２−２線に沿って見た固定ネジ２５が見えないときの底面図、（ｃ）は（ａ）中の２−２線に沿って見た固定ネジ２５が見えるときの底面図である。
【図３】同盗水防止水栓１００を示すもので、（ａ）は正面図、（ｂ）は図１中の１ー１線で切って見た立断面図である。
【図４】同盗水防止水栓１００の斜め上方から見た分解斜視図である。
【図５】同盗水防止水栓１００の斜め後方から見た分解斜視図である。
【図６】同盗水防止水栓１００の側方から見た分解斜視図である。
【図７】特許文献２に提案されている技術を示す分解斜視図である。
【発明を実施するための形態】
【００３９】
次に、上記のように構成した各請求項に係る発明を、図面に示した実施の形態である盗水防止水栓１００について説明すると、図１〜図３には、本実施形態に係る盗水防止水栓１００が示してある。この盗水防止水栓１００は、図１の（ａ）に示したように、水道管等の水供給源に接続される接続部１６と、この接続部１６を通して供給された水を吐出する吐出口１７と、これらの接続部１６及び吐出口１７の上側に一体化された筒部１３とを有する水栓本体１０と、この水栓本体１０に取り付けられるハンドル２０とを備えたものである。換言すれば、この盗水防止水栓１００は、内部に部品を組み付けた水栓本体１０と、この水栓本体１０に取り付けられるハンドル２０とからなっており、水栓本体１０またはハンドル２０を個別に交換できるものとなっているのである。
【００４０】
水栓本体１０は、内部に、上記接続部１６と吐出口１７とを連通させる通水路１１を形成したものであり、この通水路１１の、筒部１３の中心下部に位置する部分に弁座１１ａを形成したものである。この弁座１１ａの中心には、上記通水路１１の接続部１６側部分と吐出口１７側部分とを連通させる穴が形成してあり、通水路１１の吐出口１７側部分には筒部１３内空間に連なる穴が形成してある。また、弁座１１ａには弁体１２ａが当節し得るようにしてあり、この弁体１２ａは筒部１３内に設けた弁軸１２の下端に取り付けてある。
【００４１】
弁軸１２の上端部は、筒部１３内の中心に位置していて、この上端部外周には、後述するハンドル２０側のハンドルカバー２３の連結部材２３ａを回動不能に連結するための、当該弁軸１２の軸心方向のセレーションが刻んである。また、この弁軸１２の上端には、ハンドル２０側のハンドルカバー２３を取り付ける弁軸止めネジ２６のためのネジ穴が形成してある。なお、この弁軸１２が突出している筒部１３内は、この弁軸１２の組み付けを容易にするだけの空間が形成してあり、結果として、当該筒部１３の端面１３ａは、手で掴む大きさの後述するハンドル２０を受承できる大きさのものとなっている。
【００４２】
筒部１３の端面１３ａには、後述するハンドル２０側のロック爪２４を係合させるための係止溝１４が形成してあるが、本実施形態では、この係止溝１４を、筒部１３の端面１３ａにて円弧状に並ぶように複数形成してある。このようにしたのは、当該盗水防止水栓１００を長期間使用することによって弁体１２ａが変形してきた場合、盗水防止水栓１００の完全止水位置でハンドル２０を回動停止できるようにするには、ハンドル２０をもう少しきつく閉めたところで停止させ、その位置でロック状態が確保できるようにしなければならないからである。つまり、筒部１３の係止溝１４を、筒部１３の端面１３ａにて円弧状に並ぶように複数形成しておくことによって、弁体１２ａが経年変化したとき、例えば図４に示した１番目の位置を初期位置であったとき、上から２番目の係止溝１４の位置をロック位置にして、これにロック爪２４の先端が係合できるようにするのである。これにより、弁体１２ａの経年変化に応じてハンドル２０の回転停止位置を変えることができ、当該盗水防止水栓１００の耐久性を向上させることになるのである。
【００４３】
さらに、筒部１３については、例えば図１の（ａ）に示したように、その側面に工具挿入溝１５を形成したものであり、図３の（ｂ）に示したように、この工具挿入溝１５の底面方向を弁軸１２の方向と同一となるようにしてある。また、この工具挿入溝１５の端部は、図４にも示したように、筒部１３の端面１３ａにて開口させたものである。
【００４４】
工具挿入溝１５を以上のように形成することによって、弁軸１２の端部に連結されるハンドルカバー２３をハンドル本体２１に固定するための固定ネジ２５が、図２の（ｂ）に示したような「見えない状態」と、図２の（ｃ）に示したような「見える状態」と、になる場合分けが行えるのである。
【００４５】
固定ネジ２５が、図２の（ｂ）に示すような「見えない状態」となっていると、当該固定ネジ２５を外してハンドル２０を外すことはできない。この固定ネジ２５は、水栓本体１０側の弁軸１２先端に取り付けられるハンドルカバー２３を、ハンドル本体２１に取り付けたり、このハンドルカバー２３をハンドル本体２１から外すものだから、固定ネジ２５が「見えない状態」となっていれば、結果的に、ハンドル２０を外すことはできない。
【００４６】
逆に、固定ネジ２５が図２の（ｃ）に示したような「見える状態」になっていれば、ドライバーをこの工具挿入溝１５内に挿通して固定ネジ２５の取り外しを行えば、ハンドル２０を外すことができる。なお、ハンドル２０を外して所定のメンテナンス等が完了すれば、再び固定ネジ２５の固定を行い、図２の（ｂ）に示した状態に戻しておけば、第三者によって当該ハンドル２０が外されることはない。
【００４７】
一方、ハンドル２０は、筒部１３の端部を覆うハンドル本体２１と、このハンドル本体２１内に組み付けたロック機構２２と、数字や絵文字を含む記号が付されて、ハンドル本体２１の外側から回動操作できる複数のダイヤル２２ａと、ハンドル本体２１に取り付けられて、弁軸１２の端部に連結される連結部材２３ａを備えたハンドルカバー２３と、このハンドルカバー２３の外面に対してロック機構２２によって出入されて、水栓本体１０の係止溝１４に係合したとき、当該ハンドル２０の回動を阻止するロック爪２４と、を備えたものである。
【００４８】
このハンドル２０のハンドル本体２１は、これを手で掴んで回動操作を行うもので、その外形は、図４及び図５に示したように、水栓本体１０側の筒部１３の端面１３ａの外形と同じとなるようにしたものであり、内部にはロック機構２２が設置できるようにしてある。このハンドル本体２１の上面には、複数の窓２１ａが形成してあり、これらの窓２１ａからは、図３及び図４に示したように、ロック機構２２を構成しているダイヤル２２ａの一部を露出できるものである。
【００４９】
また、このハンドル本体２１の下面には、例えば図３の（ｂ）に示したように、ハンドル本体２１とは別体のハンドルカバー２３が取り付けられるのであるが、このハンドルカバー２３のハンドル本体２１に対する取り付けは、図２の（ｃ）にて示したように、固定ネジ２５によって行われる。さらに、このハンドルカバー２３の中心には、図１及び図３の各（ｂ）に示したように、水栓本体１０側の弁軸１２上端に向けて突出する連結部材２３ａが一体的に形成してあり、図４に示したように、この連結部材２３ａ内に挿通した弁軸止めネジ２６を弁軸１２の上端に螺着することによって、当該ハンドルカバー２３は弁軸１２に連結される。そして、このハンドルカバー２３のハンドル本体２１に対する固定は、水栓本体１０側の工具挿入溝１５から挿入されたドライバー等によって締着される固定ネジ２５によってなされることは、上述した通りである。
【００５０】
ところで、ロック機構２２については種々な態様のものが適用できるが、この実施形態に係る盗水防止水栓１００では、このロック機構２２は、数字や絵文字を含む記号が付されて、ハンドル本体２１の外側から回動操作できる複数のダイヤル２２ａを備えたものである。これらのダイヤル２２ａは、図３の（ａ）及び（ｂ）に示すように、その一部分がハンドル本体２１から外方に突出したものであり、この突出した部分を指で回動操作することにより、当該ダイヤル２２ａに示してある数字や図柄の選択を自在に行えるようにしたものである。
【００５１】
このロック機構２２は、ロック爪２４の動きを制御するものであるが、ロック爪２４は、前述した通り、その先端が水栓本体１０側の筒部１３に形成してある係止溝１４に係合したとき、当該盗水防止水栓１００をロック状態にするものである。本実施形態のロック爪２４は、例えば図４に示したように、ロック機構２２の各ダイヤル２２ａを連結している軸にその基部が支持されているもので、各ダイヤル２２ａの回動方向に上下動するものである。
【００５２】
このロック機構２２は、各ダイヤル２２ａの回動操作を行って、各ダイヤル２２ａが示す数字等を設定しておいたものに揃えることにより、ロック爪２４をそれまで係合していた係止溝１４から退避させることができ、当該ハンドル２０の水栓本体１０に対する係合を解くものである。これとは逆に、各ダイヤル２２ａをバラバラにすれば、ロック爪２４は下動して水栓本体１０側の係止溝１４に係合するものである。このようなロック爪２４の動きを制御するロック機構２２は種々な形態のものとして市販されている。
【００５３】
以上のようなハンドル２０を水栓本体１０に取り付けるには、以下のようにする。まず、ハンドル２０から取り外したハンドルカバー２３の連結部材２３ａを水栓本体１０側の弁軸１２の先端に差し込んで、図４に示したように、ハンドルカバー２３の上から弁軸止めネジ２６を連結部材２３ａ内に挿通してこれを弁軸１２上端に締着する。このハンドルカバー２３の上にハンドル２０の残りの部分を嵌め込むのであるが、ハンドルカバー２３自体の形状は図４にも示したように方向性のあるものであるから、嵌め込みができる位置で嵌め込まれれば、ロック爪２４の先端は、図４にも示したように、自動的に水栓本体１０側の係止溝１４に向かい係合し得る状態となる。このとき、ハンドル２０は水栓本体１０に組み付けられてはいるが、ロック爪２４はロック状態を形成していない。
【００５４】
次に、ハンドル２０を適宜回動して、ハンドルカバー２３に形成してある取付穴が、図２の（ｃ）に示したような固定ネジ２５取り付け可能な位置となるように調整し、この取付穴が水栓本体１０の工具挿入溝１５から見えたら、固定ネジ２５の締着を行う。その後、当該盗水防止水栓１００が完全止水位置となるまでハンドル２０を締め、各ダイヤル２２ａをバラバラに回動させて、ロック爪２４によるロック状態を形成するのである。
【００５５】
なお、工場出荷時には、ロック爪２４は、図４に示した複数の係止溝１４の内の、例えば一番上になっている係止溝１４内に係合するよう、調整される。
【符号の説明】
【００５６】
１００    盗水防止水栓
１０    水栓本体
１１    通水路
１１ａ  弁座
１２    弁軸
１２ａ  弁体
１３    筒部
１３ａ  端面
１４    係止溝
１５    工具挿入溝
１６    接続部
１７    吐出口
２０    ハンドル
２１    ハンドル本体
２１ａ  窓
２２    ロック機構
２２ａ  ダイヤル
２３    ハンドルカバー
２３ａ  連結部材
２４    ロック爪
２５    固定ネジ
２６    弁軸止めネジ
【図１】
2015203221.tif 000003
【図２】
2015203221.tif 000004
【図３】
2015203221.tif 000005
【図４】
2015203221.tif 000006
【図５】
2015203221.tif 000007
【図６】
2015203221.tif 000008
【図７】
2015203221.tif 000009